(57)【特許請求の範囲】
【請求項１】
１つの画像の撮像範囲が他の画像の撮像範囲の少なくとも一部と重複する複数の画像のうちの少なくとも１つをユーザによる表示指示操作に基づいて表示部に表示させる表示制御部と、
前記表示指示操作以外の特定のユーザ操作が行われている状態では、表示対象となっている対象画像とともに前記対象画像以外の他の画像と前記対象画像とが重複する重複領域を示す領域情報を表示させ、前記重複領域に表示される複数の画像の境界領域について各画像間の解像度が合うように画像処理を施す制御を行う制御部とを具備し、
前記表示制御部は、前記解像度が合うように画像処理が施された複数の画像を表示させる
表示制御装置。
【請求項２】
１つの画像の撮像範囲が他の画像の撮像範囲の少なくとも一部と重複する複数の画像のうちの少なくとも１つをユーザによる表示指示操作に基づいて表示部に表示させる表示制御部と、
前記表示指示操作以外の特定のユーザ操作が行われている状態では、表示対象となっている対象画像とともに前記対象画像以外の他の画像と前記対象画像とが重複する重複領域を示す領域情報を表示させ、前記複数の画像に関する画像情報に応じて前記他の画像に係る前記領域情報の表示態様を変更して表示させる制御を行う制御部と
を具備する表示制御装置。
【請求項３】
前記制御部は、前記他の画像の表示領域に対応する輪郭を示す線状画像を前記領域情報として表示させ、前記領域情報の表示態様として前記線状画像の太さ、色、種類のうちの少なくとも１つを変更させる制御を行う請求項２記載の表示制御装置。
【請求項４】
前記制御部は、前記領域情報の表示態様として、前記特定のユーザ操作の終了時から前記領域情報を消去するまでのタイミングを変更させる制御を行う請求項２または３記載の表示制御装置。
【請求項５】
１つの画像の撮像範囲が他の画像の撮像範囲の少なくとも一部と重複する複数の画像のうちの少なくとも１つをユーザによる表示指示操作に基づいて表示部に表示させ、前記表示部に複数の画像を表示させる場合には、当該複数の画像のそれぞれの解像度に基づいて、当該複数の画像のうちの少なくとも１つを最前面に表示させる画像として選択する表示制御部と、
前記表示指示操作以外の特定のユーザ操作が行われている状態では、表示対象となっている対象画像とともに前記対象画像以外の他の画像と前記対象画像とが重複する重複領域を示す領域情報を表示させる制御を行う制御部と
を具備する表示制御装置。
【請求項６】
１つの画像の撮像範囲が他の画像の撮像範囲の少なくとも一部と重複する複数の画像のうちの少なくとも１つをユーザによる表示指示操作に基づいて表示部に表示させ、前記表示部に複数の画像を表示させる場合には、前記表示部の表示面の解像度と、表示対象となる画像の解像度との比較結果に基づいて、当該複数の画像のうちの少なくとも１つを最前面に表示させる画像として選択する表示制御部と、
前記表示指示操作以外の特定のユーザ操作が行われている状態では、表示対象となっている対象画像とともに前記対象画像以外の他の画像と前記対象画像とが重複する重複領域を示す領域情報を表示させる制御を行う制御部と
を具備する表示制御装置。
【請求項７】
前記制御部は、１または複数の前記他の画像を前記重複領域に表示させる制御を行う請求項１乃至６の何れかに記載の表示制御装置。
【請求項８】
前記制御部は、前記対象画像に前記領域情報を重ねて表示させる制御を行う請求項１乃至７の何れかに記載の表示制御装置。
【請求項９】
前記表示制御部は、前記対象画像の表示される範囲が、前記対象画像に対する所定割合よりも低くなったときには、前記他の画像を表示させる請求項１乃至８の何れかに記載の表示制御装置。
【請求項１０】
１つの画像の撮像範囲が他の画像の撮像範囲の少なくとも一部と重複する複数の画像のうちの少なくとも１つをユーザによる表示指示操作に基づいて表示部に表示させる第１表示手順と、
前記表示指示操作以外の特定のユーザ操作が行われている状態では、表示対象となっている対象画像とともに前記対象画像以外の他の画像と前記対象画像とが重複する重複領域を示す領域情報を表示させる第２表示手順と、
前記重複領域に表示される複数の画像の境界領域について各画像間の解像度が合うように画像処理を施し、前記解像度が合うように画像処理が施された複数の画像を表示させる第３表示手順と
を具備する表示制御方法。
【請求項１１】
１つの画像の撮像範囲が他の画像の撮像範囲の少なくとも一部と重複する複数の画像のうちの少なくとも１つをユーザによる表示指示操作に基づいて表示部に表示させる第１表示手順と、
前記表示指示操作以外の特定のユーザ操作が行われている状態では、表示対象となっている対象画像とともに前記対象画像以外の他の画像と前記対象画像とが重複する重複領域を示す領域情報を表示させ、前記複数の画像に関する画像情報に応じて前記他の画像に係る前記領域情報の表示態様を変更して表示させる第２表示手順と
を具備する表示制御方法。
【請求項１２】
１つの画像の撮像範囲が他の画像の撮像範囲の少なくとも一部と重複する複数の画像のうちの少なくとも１つをユーザによる表示指示操作に基づいて表示部に表示させる第１表示手順と、
前記表示指示操作以外の特定のユーザ操作が行われている状態では、表示対象となっている対象画像とともに前記対象画像以外の他の画像と前記対象画像とが重複する重複領域を示す領域情報を表示させる第２表示手順と、
前記重複領域に表示される複数の画像の境界領域について各画像間の解像度が合うように画像処理を施し、前記解像度が合うように画像処理が施された複数の画像を表示させる第３表示手順と
をコンピュータに実行させるプログラム。
【発明の詳細な説明】
【技術分野】
【０００１】
本技術は、表示制御装置に関する。詳しくは、画像を表示させる表示制御装置および表示制御方法ならびに当該方法をコンピュータに実行させるプログラムに関する。
【背景技術】
【０００２】
近年、人物や風景等の被写体を撮像して画像データを生成し、この画像データを画像コンテンツとして記録するデジタルスチルカメラやデジタルビデオカメラ（例えば、カメラ一体型レコーダ）等の撮像装置が普及している。また、このように記録された画像コンテンツをユーザ操作により表示させることが可能な表示制御装置が提案されている。
【０００３】
例えば、撮像装置が移動した軌跡を点線で表示し、この軌跡上の任意の位置をユーザが指定すると、その指定された位置から見える画像を表示する装置が提案されている（例えば、特許文献１参照。）。
【先行技術文献】
【特許文献】
【０００４】
【特許文献１】特開２００１−１７７８５０号公報
【発明の概要】
【発明が解決しようとする課題】
【０００５】
上述の従来技術では、ユーザが所望する位置から見える画像をユーザ操作に基づいて容易に表示することができる。
【０００６】
このように、撮像空間において互いに関連する複数の画像を表示する場合に、表示されている画像の周辺に配置される画像に関する情報（撮像範囲や画質等）をユーザが容易に把握することができれば、さらに画像を楽しみながら見ることができると考えられる。
【０００７】
本技術はこのような状況に鑑みて生み出されたものであり、関連する複数の画像を表示する場合に各画像に関する情報をユーザが容易に把握することを目的とする。
【課題を解決するための手段】
【０００８】
本技術は、上述の問題点を解消するためになされたものであり、その第１の側面は、１つの画像の撮像範囲が他の画像の撮像範囲の少なくとも一部と重複する複数の画像のうちの少なくとも１つをユーザによる表示指示操作に基づいて表示部に表示させる表示制御部と、上記表示指示操作以外の特定のユーザ操作が行われている状態では、表示対象となっている対象画像とともに上記対象画像以外の他の画像と上記対象画像とが重複する重複領域を示す領域情報を表示させ、上記重複領域に表示される複数の画像の境界領域について各画像間の解像度が合うように画像処理を施す制御を行う制御部とを具備し、上記表示制御部は、上記解像度が合うように画像処理が施された複数の画像を表示させる表示制御装置および表示制御方法ならびに当該方法をコンピュータに実行させるプログラムである。これにより、特定のユーザ操作が行われている状態では、表示対象となっている対象画像とともに、対象画像以外の他の画像と対象画像とが重複する重複領域を示す領域情報を表示させ、重複領域に表示される複数の画像の境界領域について各画像間の解像度が合うように画像処理を施し、その解像度が合うように画像処理が施された複数の画像を表示させるという作用をもたらす。
【０００９】
また、本技術の第２の側面は、１つの画像の撮像範囲が他の画像の撮像範囲の少なくとも一部と重複する複数の画像のうちの少なくとも１つをユーザによる表示指示操作に基づいて表示部に表示させる表示制御部と、上記表示指示操作以外の特定のユーザ操作が行われている状態では、表示対象となっている対象画像とともに上記対象画像以外の他の画像と上記対象画像とが重複する重複領域を示す領域情報を表示させ、上記複数の画像に関する画像情報に応じて上記他の画像に係る上記領域情報の表示態様を変更して表示させる制御を行う制御部とを具備する表示制御装置および表示制御方法ならびに当該方法をコンピュータに実行させるプログラムである。これにより、特定のユーザ操作が行われている状態では、表示対象となっている対象画像とともに、対象画像以外の他の画像と対象画像とが重複する重複領域を示す領域情報を表示させ、複数の画像に関する画像情報に応じて他の画像に係る領域情報の表示態様を変更して表示させるという作用をもたらす。
【００１０】
また、この第２の側面において、上記制御部は、上記他の画像の表示領域に対応する輪郭を示す線状画像を上記領域情報として表示させ、上記領域情報の表示態様として上記線状画像の太さ、色、種類のうちの少なくとも１つを変更させる制御を行うようにしてもよい。これにより、他の画像の表示領域に対応する輪郭を示す線状画像を表示させ、この線状画像の太さ、色、種類のうちの少なくとも１つを変更させるという作用をもたらす。
【００１１】
また、この第２の側面において、上記制御部は、上記領域情報の表示態様として、上記特定のユーザ操作の終了時から上記領域情報を消去するまでのタイミングを変更させる制御を行うようにしてもよい。これにより、特定のユーザ操作の終了時から、領域情報を消去するまでのタイミングを変更させるという作用をもたらす。
【００１２】
また、本技術の第３の側面は、１つの画像の撮像範囲が他の画像の撮像範囲の少なくとも一部と重複する複数の画像のうちの少なくとも１つをユーザによる表示指示操作に基づいて表示部に表示させ、上記表示部に複数の画像を表示させる場合には、当該複数の画像のそれぞれの解像度に基づいて、当該複数の画像のうちの少なくとも１つを最前面に表示させる画像として選択する表示制御部と、上記表示指示操作以外の特定のユーザ操作が行われている状態では、表示対象となっている対象画像とともに上記対象画像以外の他の画像と上記対象画像とが重複する重複領域を示す領域情報を表示させる制御を行う制御部とを具備する表示制御装置および表示制御方法ならびに当該方法をコンピュータに実行させるプログラムである。これにより、複数の画像のうちの少なくとも１つを表示指示操作に基づいて表示部に表示させ、表示部に複数の画像を表示させる場合には、複数の画像のそれぞれの解像度に基づいて、複数の画像のうちの少なくとも１つを最前面に表示させる画像として選択し、特定のユーザ操作が行われている状態では、表示対象となっている対象画像とともに、対象画像以外の他の画像と対象画像とが重複する重複領域を示す領域情報を表示させるという作用をもたらす。
【００１３】
また、本技術の第４の側面は、１つの画像の撮像範囲が他の画像の撮像範囲の少なくとも一部と重複する複数の画像のうちの少なくとも１つをユーザによる表示指示操作に基づいて表示部に表示させ、上記表示部に複数の画像を表示させる場合には、上記表示部の表示面の解像度と、表示対象となる画像の解像度との比較結果に基づいて、当該複数の画像のうちの少なくとも１つを最前面に表示させる画像として選択する表示制御部と、上記表示指示操作以外の特定のユーザ操作が行われている状態では、表示対象となっている対象画像とともに上記対象画像以外の他の画像と上記対象画像とが重複する重複領域を示す領域情報を表示させる制御を行う制御部とを具備する表示制御装置および表示制御方法ならびに当該方法をコンピュータに実行させるプログラムである。これにより、複数の画像のうちの少なくとも１つをユーザによる表示指示操作に基づいて表示部に表示させ、表示部に複数の画像を表示させる場合には、表示部の表示面の解像度と、表示対象となる画像の解像度との比較結果に基づいて、複数の画像のうちの少なくとも１つを最前面に表示させる画像として選択し、特定のユーザ操作が行われている状態では、表示対象となっている対象画像とともに、対象画像以外の他の画像と対象画像とが重複する重複領域を示す領域情報を表示させるという作用をもたらす。
【００１４】
また、この第１乃至第４の側面において、上記制御部は、１または複数の上記他の画像を上記重複領域に表示させる制御を行うようにしてもよい。これにより、１または複数の他の画像を重複領域に表示させるという作用をもたらす。
【００１５】
また、この第１乃至第４の側面において、上記制御部は、上記対象画像に上記領域情報を重ねて表示させる制御を行うようにしてもよい。これにより、対象画像に領域情報を重ねて表示させるという作用をもたらす。
【００１６】
また、この第１乃至第４の側面において、上記表示制御部は、上記対象画像の表示される範囲が、上記対象画像に対する所定割合よりも低くなったときには、上記他の画像を表示させるようにしてもよい。これにより、対象画像の表示される範囲が、対象画像に対する所定割合よりも低くなったときには、他の画像を表示させるという作用をもたらす。
【発明の効果】
【００１８】
本技術によれば、関連する複数の画像を表示する場合に各画像に関する情報をユーザが容易に把握することができるという優れた効果を奏し得る。
【図面の簡単な説明】
【００１９】
【図１】本技術の第１の実施の形態における表示制御装置１００の機能構成例を示すブロック図である。
【図２】本技術の第１の実施の形態における記憶部１４０に記憶されている画像とその撮像範囲との関係を簡略的に示す図である。
【図３】本技術の第１の実施の形態における記憶部１４０に記憶されている画像を表示部１１２に表示させる際における各画像の配置例を示す図である。
【図４】本技術の第１の実施の形態における表示部１１２に表示される画像（表示対象画像）を決定する場合における決定方法を模式的に示す図である。
【図５】本技術の第１の実施の形態における表示部１１２に表示される画像（表示対象画像）を決定する場合における決定方法を模式的に示す図である。
【図６】本技術の第１の実施の形態における表示部１１２に表示される画像の表示例を示す図である。
【図７】本技術の第１の実施の形態における表示制御装置１００による表示制御処理の処理手順の一例を示すフローチャートである。
【図８】本技術の第２の実施の形態における記憶部１４０に記憶されている画像とその撮像範囲との関係を簡略的に示す図である。
【図９】本技術の第２の実施の形態における表示部１１２の最前面に表示される画像（最前面画像）を決定する場合における決定方法を模式的に示す図である。
【図１０】本技術の第２の実施の形態における表示部１１２に表示される画像の表示例に示す図である。
【図１１】本技術の第２の実施の形態における表示制御装置１００による表示制御処理の処理手順の一例を示すフローチャートである。
【図１２】本技術の第２の実施の形態における表示部１１２の最前面に表示される画像（最前面画像）をユーザ操作により決定する場合を模式的に示す図である。
【図１３】本技術の第２の実施の形態における表示部１１２に表示される画像の表示遷移例を示す図である。
【図１４】本技術の第２の実施の形態における表示部１１２の最前面に表示される画像（最前面画像）を被写体に応じて決定する場合を模式的に示す図である。
【図１５】本技術の第３の実施の形態における表示部１１２に画像（最前面画像）とともに表示される領域情報の表示例を示す図である。
【図１６】本技術の第３の実施の形態における表示部１１２に画像（最前面画像）とともに表示される領域情報の表示例を示す図である。
【図１７】本技術の第３の実施の形態における表示部１１２に画像（最前面画像）とともに表示される領域情報の表示例を示す図である。
【図１８】本技術の第３の実施の形態における表示部１１２に画像（最前面画像）とともに表示される領域情報の表示例を示す図である。
【図１９】本技術の第３の実施の形態における表示部１１２に画像（最前面画像）とともに表示される領域情報の表示例を示す図である。
【図２０】本技術の第３の実施の形態における表示部１１２に画像（最前面画像）とともに表示される領域情報の表示例を示す図である。
【図２１】本技術の第３の実施の形態における表示部１１２に画像（最前面画像）とともに表示される領域情報の表示例を示す図である。
【図２２】本技術の第３の実施の形態における表示部１１２に画像（最前面画像）とともに表示される領域情報の表示例を示す図である。
【図２３】本技術の第３の実施の形態における表示部１１２に画像（最前面画像）とともに表示される領域情報の表示例を示す図である。
【発明を実施するための形態】
【００２０】
以下、本技術を実施するための形態（以下、実施の形態と称する）について説明する。説明は以下の順序により行う。
１．第１の実施の形態（表示制御：ユーザ操作が行われている間、表示部に表示されている対象画像とともに他の画像の重複領域を示す領域情報を表示する例）
２．第２の実施の形態（表示制御：所定条件に基づいて最前面画像を選択する例）
３．第３の実施の形態（表示制御：領域情報の表示態様を変更する例）
【００２１】
＜１．第１の実施の形態＞
［表示制御装置の機能構成例］
図１は、本技術の第１の実施の形態における表示制御装置１００の機能構成例を示すブロック図である。
【００２２】
表示制御装置１００は、入出力部１１０と、操作受付部１２０と、制御部１３０と、記憶部１４０と、表示制御部１５０とを備える。
【００２３】
入出力部１１０は、接触操作受付部１１１および表示部１１２を備える。例えば、接触操作受付部１１１として、導電性を有する物体（例えば、人物の指）の接触または近接を、静電容量の変化に基づいて検出する静電式（静電容量方式）のタッチパネルを用いることができる。また、例えば、表示部１１２として、ＬＣＤ（Liquid Crystal Display）、有機ＥＬ（Electro Luminescence）パネル等の表示パネルを用いることができる。そして、入出力部１１０は、例えば、表示パネルの表示面上に、透明なタッチパネルを重ね合わせることにより構成される。
【００２４】
入出力部１１０は、表示制御部１５０の制御に基づいて各種画像を表示部１１２に表示するとともに、表示面（表示部１１２の表示面）に近接または接触する物体の検出状態に基づいてユーザからの操作入力を接触操作受付部１１１により受け付ける。また、接触操作受付部１１１は、受け付けられた操作入力に応じた制御信号（操作情報）を制御部１３０に出力する。
【００２５】
接触操作受付部１１１は、入出力部１１０の表示面に近接または接触する物体（例えば、ユーザの指）の検出状態に基づいて、その物体による操作入力を受け付けるものである。例えば、接触操作受付部１１１は、格子状に配置されている複数の静電センサを備える。この静電センサは、入出力部１１０の表示面に物体（導電性を有する物体（例えば、ユーザの指や手））が近接または接触すると、静電容量を増加させるセンサである。そして、接触操作受付部１１１は、静電センサの静電容量が変化すると、その静電センサの静電容量の値と、その静電センサの接触操作受付部１１１の操作面における位置とを含む情報（静電センサ情報）を制御部１３０に出力する。
【００２６】
表示部１１２は、表示制御部１５０の制御に基づいて各画像を表示する表示パネルである。なお、表示部１１２における表示例については、図６等に示す。
【００２７】
操作受付部１２０は、ユーザにより行われた操作を受け付ける操作受付部であり、受け付けられた操作内容に応じた制御信号（操作情報）を制御部１３０に出力する。操作受付部１２０は、例えば、表示制御装置１００に備えられる操作部材（例えば、上下左右ボタン、スクロールボタン、タッチパネル、十字キー、マウス）に対応する。
【００２８】
制御部１３０は、操作受付部１２０からの操作情報と接触操作受付部１１１からの操作情報とに基づいて、表示制御装置１００の各部を制御するものである。
【００２９】
また、制御部１３０は、接触操作受付部１１１により受け付けられたユーザによる操作入力（例えば、タッチ操作）に関する制御を行う。例えば、制御部１３０は、接触操作受付部１１１から出力された静電センサ情報に基づいて、入出力部１１０の表示面においてユーザの指が接触した範囲（接触範囲）を検出し、その表示面に対応する座標軸に基づいてその接触範囲を座標に変換する。そして、制御部１３０は、変換後の座標に基づいてその接触範囲の形状を算出し、その形状における重心の座標を算出する。また、制御部１３０は、その算出された重心の座標をユーザの指が接触した位置（接触位置）の座標として算出する。そして、制御部１３０は、算出された接触範囲の形状および接触位置の座標に関する操作情報（接触範囲の形状、接触位置の座標等）に基づいて、入出力部１１０の表示面におけるユーザの操作入力を認識する。
【００３０】
ここで、１つの画像の撮像範囲が他の画像の撮像範囲の少なくとも一部と重複する複数の画像（例えば、図２のｂに示す画像２１５乃至２１７）のうちの少なくとも１つがユーザ操作に基づいて表示されている場合（例えば、図６に示す場合）を想定する。この場合には、制御部１３０は、例えば、ユーザ操作が行われていない状態では、図６のｂに示すように、表示対象となっている画像のみを表示させる。一方、制御部１３０は、例えば、ユーザ操作が行われている状態では、図６のａに示すように、表示対象となっている画像とともに、この画像と他の画像とが重複する重複領域を示す領域情報（枠２４０）を表示させる。この場合に、制御部１３０は、撮像範囲の少なくとも一部が、その表示対象となっている画像と重複する１または複数の画像を、他の画像として領域情報を表示させる。また、制御部１３０は、表示対象となっている画像に領域情報（枠２４０）を重ねて表示させる。
【００３１】
記憶部１４０は、各種情報（静止画コンテンツや動画コンテンツ）を記憶するものである。また、記憶部１４０は、記憶されている各種情報を表示制御部１５０に供給する。
【００３２】
記憶部１４０には、例えば、撮像装置（例えば、デジタルスチルカメラ、デジタルビデオカメラ（例えば、カメラ一体型レコーダ））により生成された画像コンテンツ（静止画ファイル）が記憶される。この画像コンテンツとして、例えば、複数の静止画を１つのファイル（拡張子：．ＭＰＯ）として記録するＭＰ（Multi Picture）フォーマットに準拠した静止画ファイルを記憶することができる。なお、ＭＰファイル（「ＣＩＰＡ  ＤＣ−００７−２００９  マルチピクチャフォーマット」参照。）は、先頭画像に続いて、１または複数の画像を記録することができるファイルである。
【００３３】
例えば、撮像装置において撮像モードが設定されている場合に、最初の画像を基準として、これ以降に生成される画像の撮像時における撮像装置の位置（撮像位置）、その姿勢（水平方向または垂直方向への回転移動）、焦点距離（ズーム倍率）を順次検出する。すなわち、各画像に関する相対座標が検出される。そして、これらの撮影情報（位置（撮像位置）、姿勢（撮像姿勢）、焦点距離（ズーム倍率））を属性情報として各画像に関連付けて記録することができる。例えば、ＭＰファイルにおいて、そのヘッダ部分に、各画像に関連付けて属性情報（撮影情報）を格納し、各画像を画像ファイルとして格納することができる。
【００３４】
ここで、撮像装置の位置（撮像位置）は、例えば、ＧＰＳ（Global Positioning System）ユニットや加速度センサにより求めることができる。また、ＧＰＳユニットおよび加速度センサを用いて撮像装置の位置を求めることによりその精度を向上させることができる。また、撮像装置の姿勢（水平方向、垂直方向への回転移動）は、例えば、ジャイロセンサにより求めることができる。また、焦点距離は、撮像動作時におけるズーム倍率に基づいて求めることができる。
【００３５】
なお、撮像装置を表示制御装置１００に内蔵するようにしてもよい。このように、表示制御装置１００に撮像装置が内蔵されている場合には、撮像装置により生成された各画像と、これに関する属性情報とが記憶部１４０に順次記録される。
【００３６】
表示制御部１５０は、制御部１３０の制御に基づいて各画像を表示部１１２に出力させるものである。例えば、表示制御部１５０は、記憶部１４０に記憶されている画像コンテンツ（例えば、静止画コンテンツまたは動画コンテンツ）を表示部１１２に表示させる。
【００３７】
また、例えば、表示制御部１５０は、１つの画像の撮像範囲が他の画像の撮像範囲の少なくとも一部と重複する複数の画像（例えば、図３のａに示す画像２１５乃至２１７）のうちの少なくとも１つをユーザ操作に基づいて表示させる。この場合に、表示制御部１５０は、表示時における複数の画像のそれぞれの解像度（表示面における解像度）に基づいて、複数の画像のうちの少なくとも１つを選択して最前面に表示させる。
【００３８】
［表示対象画像および撮像範囲の関係例］
図２は、本技術の第１の実施の形態における記憶部１４０に記憶されている画像とその撮像範囲との関係を簡略的に示す図である。
【００３９】
図２のａでは、山を背景にして立っている人物２０１、その前を歩いている犬２０２、その周辺の家２０３等を被写体とする撮像範囲２１１乃至２１３を示す。図２のｂでは、図２のａに示す撮像範囲２１１乃至２１３に対応する画像２１５乃至２１７を示す。
【００４０】
例えば、撮像装置（図示せず）においてズーム操作や構図を変更するための姿勢変更（例えば、チルチング操作、パンニング操作）等が行われて、撮像範囲２１１乃至２１３に対応する画像２１５乃至２１７が生成される。この場合に、撮像装置（図示せず）は、画像２１５乃至２１７の撮像時における撮像装置の位置（撮像位置）、撮像装置の姿勢（水平方向または垂直方向への回転移動）、ズーム倍率に基づいて画像２１５乃至２１７のそれぞれの属性情報（撮影情報）を生成する。そして、撮像装置（図示せず）は、その生成された属性情報（撮影情報）を各画像に関連付けて画像コンテンツとして記録する。このように記録された画像コンテンツが記憶部１４０に記憶されているものとする。この記憶例を図３のａに示す。
【００４１】
［画像の配置例］
図３は、本技術の第１の実施の形態における記憶部１４０に記憶されている画像を表示部１１２に表示させる際における各画像の配置例を示す図である。
【００４２】
図３のａには、記憶部１４０に記憶されている画像２１５乃至２１７を模式的に示す。なお、画像２１５乃至２１７は、図２のｂに示す画像２１５乃至２１７と同一であるものとする。
【００４３】
図３のｂには、図３のａに示す画像２１５乃至２１７が表示部１１２に表示される際における各画像の配置例を示す。図３のｂでは、画像２１５乃至２１７の全体が表示されたと仮定した場合における仮想的な配置を点線の矩形２２１乃至２２３で仮想的に示す。
【００４４】
例えば、表示制御部１５０は、記憶部１４０に記憶されている画像２１５乃至２１７のそれぞれに関連付けられている属性情報を用いて各画像の配置（点線の矩形２２１乃至２２３）を決定することができる。この属性情報は、上述したように、例えば、撮影情報（位置（撮像位置）、姿勢（撮像姿勢）、焦点距離（ズーム倍率））である。例えば、表示制御部１５０は、１つの画像（例えば、画像２１６）を基準として、他の画像（例えば、画像２１５、２１７）の配置を決定することができる。
【００４５】
また、表示制御部１５０は、記憶部１４０に記憶されている画像２１５乃至２１７のそれぞれについて、画像処理により撮影情報（位置（撮像位置）、姿勢（撮像姿勢）、焦点距離（ズーム倍率））を求めるようにしてもよい。例えば、ブロックマッチング法により検出される各画像の関連性に基づいて、撮影情報を求めることができる。すなわち、画像処理により各画像に関する相対座標が検出される。
【００４６】
なお、記憶部１４０に記憶されている画像２１５乃至２１７のそれぞれに関連付けられている属性情報（撮影情報）と、画像処理により求められる撮影情報とを用いて各画像の配置を決定するようにしてもよい。例えば、表示制御部１５０は、各画像に関連付けられている属性情報（撮影情報）を用いて決定された各画像の配置を、画像処理により求められた撮影情報に基づいて補正するようにしてもよい。
【００４７】
なお、ユーザ操作により各画像の配置を決定するようにしてもよい。
【００４８】
［表示対象画像の決定例］
図４および図５は、本技術の第１の実施の形態における表示部１１２に表示される画像（表示対象画像）を決定する場合における決定方法を模式的に示す図である。
【００４９】
図４のａでは、被写体に応じてサイズを変更するとともに、重複する部分で重ねて配置した画像２３１乃至２３３を示す。なお、画像２３１乃至２３３は、図３のａに示す画像２１５乃至２１７に対応し、画像２３１乃至２３３の配置は、図３のｂに示す配置（点線の矩形２２１乃至２２３）に対応する。なお、図４のａに示す配置は、画像２３１乃至２３３の全体が表示されたと仮定した場合における仮想的な配置を示すものである。
【００５０】
ここで、図４のａに示す画像２３１乃至２３３が表示対象画像として存在する場合に、ユーザが所望する視点（表示領域）を指定する指定操作がユーザにより行われるものとする。例えば、表示部１１２におけるタッチ操作やポインティングデバイスを用いた指定操作が行われる。
【００５１】
このように、指定操作が行われた場合には、表示制御部１５０は、表示対象となる複数の画像のうちから、その指定操作により指定された視点位置を基準にして１または複数の画像を選択する。例えば、その指定操作により指定された視点位置から見える全ての画像が選択される。
【００５２】
例えば、その指定操作により指定された視点位置を基準にした場合における表示対象領域２３５を点線の矩形で示す。この場合に、表示制御部１５０は、その表示対象領域２３５に少なくとも一部が含まれる画像２３１、２３２を選択する。例えば、図４のｂに示すように、画像２３１、２３２が選択される。
【００５３】
続いて、表示制御部１５０は、視点位置に基づいて複数の画像が選択された場合には、複数の画像のうちの重複する領域について上側（表示面に対する垂直方向の上側（すなわち、ユーザ側））に表示する画像を決定する。すなわち、表示制御部１５０は、複数の画像のうちの重複する領域について、表示部１１２に表示する表示順序を決定する。
【００５４】
ここで、表示順序を決定する決定方法として、例えば、表示時における画像の解像度（表示面における解像度）を基準として用いる例を示す。すなわち、表示時における解像度が最も高い画像を最前面に表示する画像（最前面画像）として決定する例を示す。
【００５５】
ここで、表示時における画像の解像度は、被写体に対する単位長さあたりの画素数を意味するものとする。また、この解像度は、画素数、画角、ズーム倍率、撮像時における撮像装置の位置（撮像位置）を用いて算出することができる。例えば、画素数および画角を同一とした状態で同じ位置から同一の撮像装置で撮像動作を行った場合には、その撮像動作時のズーム倍率が高い方が解像度は高くなる。
【００５６】
例えば、画像２３１乃至２３３のそれぞれは、同一の画素数（例えば、８００画素×６００画素）であるものとする。ただし、画像２３１乃至２３３のそれぞれは表示時における画角が異なることになる。例えば、画角が大きい（撮像範囲のサイズが大きい）画像２３２は、被写体の解像度が低いのに対して、画角が小さい（撮像範囲のサイズが小さい）画像２３３は、被写体の解像度が高い。また、例えば、画角が大きい（撮像範囲のサイズが大きい）画像２３２は、被写体の解像度が低いのに対して、画角が小さい（撮像範囲のサイズが小さい）画像２３１は、被写体の解像度が高い。
【００５７】
例えば、画像２３１および２３２に含まれる人物２０１は、画像２３２に含まれる人物２０１よりも、画像２３１に含まれる人物２０１のほうが、解像度が高い。すなわち、同一の表示面において、同一倍率（例えば、１００％）で画像２３１および２３２を表示する場合には、画像２３２に含まれる人物２０１よりも、画像２３１に含まれる人物２０１のほうが大きくなる（すなわち、解像度が高い）。
【００５８】
なお、表示時における解像度が等しい画像、または、その差が小さい画像（例えば、その差が１０％程度しか変わらない画像）が複数存在する場合には、表示領域が大きい画像を前側の順序とすることにより、一貫性のある自然な表示をすることができる。
【００５９】
このように、選択された画像２３１および２３２について表示順序の決定が行われ、画像２３１が最前面に表示される画像として決定される。すなわち、画素数および画角を同一とした状態で同じ位置から同一の撮像装置で撮像動作を行われた場合に生成された複数の画像については、表示時における解像度が高い画像２３１が最前面に表示する画像として決定される。すなわち、その撮像動作時のズーム倍率が高い画像２３１が最前面に表示する画像として決定される。例えば、図５のａに示すように、画像２３１が最前面に表示する画像として決定される。
【００６０】
表示制御部１５０は、このように最前面に表示する画像として決定された画像２３１を表示部１１２に表示させる。この場合に、表示制御部１５０は、画像２３１における表示対象領域２３５のみを表示部１１２に表示させる。この表示例を図６のｂに示す。
【００６１】
ただし、表示制御部１５０は、ユーザ操作（例えば、スクロール操作、ズーム操作）が行われている場合には、表示部１１２に表示されている画像に重複している画像の領域を示す枠（その画像の縁を表す画像（領域情報））２３６を表示する。この表示例を図６のｂに示す。
【００６２】
［画像の表示例］
図６は、本技術の第１の実施の形態における表示部１１２に表示される画像の表示例を示す図である。
【００６３】
図６のａには、ユーザ操作（例えば、スクロール操作、ズーム操作）が行われている状態での表示例を示す。また、図６のｂには、ユーザ操作が行われていない状態での表示例を示す。
【００６４】
図６のａに示すように、ユーザ操作（例えば、スクロール操作、ズーム操作）が行われている場合には、決定された表示順序で画像が表示されるとともに、この画像に重複している画像の領域を示す枠（領域情報）２４０が表示される。
【００６５】
これに対して、図６のｂに示すように、ユーザ操作が行われていない場合には、決定された表示順序で画像が表示される。この場合に、表示対象となる画像に重複している画像の領域を示す枠（領域情報）は表示されない。
【００６６】
［表示制御装置の動作例］
図７は、本技術の第１の実施の形態における表示制御装置１００による表示制御処理の処理手順の一例を示すフローチャートである。
【００６７】
最初に、制御部１３０は、記憶部１４０に画像コンテンツが記憶されている画像の表示指示操作が接触操作受付部１１１または操作受付部１２０により受け付けられたか否かを判断する（ステップＳ９０１）。そして、画像の表示指示操作が受け付けられていない場合には（ステップＳ９０１）、監視を継続して行う。一方、画像の表示指示操作が受け付けられた場合には（ステップＳ９０１）、表示制御部１５０は、その表示指示操作に応じた画像を表示部１１２に表示させる（ステップＳ９０２）。例えば、その表示指示操作により表示が指示された全ての画像が表示部１１２に表示される。
【００６８】
続いて、制御部１３０は、表示部１１２に表示されている画像において、視点（表示領域）の指定操作が接触操作受付部１１１または操作受付部１２０により受け付けられたか否かを判断する（ステップＳ９０３）。なお、視点の指定操作は、例えば、視点（表示領域）の移動操作やズーム操作である。そして、視点の指定操作が受け付けられていない場合には（ステップＳ９０３）、ステップＳ９０７に進む。一方、視点の指定操作が受け付けられた場合には（ステップＳ９０３）、表示制御部１５０は、その指定操作により選択された視点に応じて１または複数の画像を選択する（ステップＳ９０４）
【００６９】
続いて、表示制御部１５０は、選択された各画像の表示面における解像度を算出する（ステップＳ９０５）。続いて、表示制御部１５０は、算出された各画像の解像度（表示面における解像度）に基づいて各画像の表示順序を決定し、この決定された表示順序に従って、選択された画像を表示部１１２に表示させる（ステップＳ９０６）。例えば、図６のｂに示すように、画像が表示される。
【００７０】
続いて、制御部１３０は、画像の表示指示操作、画像の表示終了操作以外の特定のユーザ操作（例えば、スクロール操作、ズーム操作）が接触操作受付部１１１または操作受付部１２０により受け付けられたか否かを判断する（ステップＳ９０７）。そして、特定のユーザ操作が受け付けられている場合には（ステップＳ９０７）、表示制御部１５０は、表示部１１２に表示されている画像に領域情報を重ねて表示させる（ステップＳ９０８）。例えば、図６のａに示すように、画像に重ねて枠（領域情報）２４０が表示される。一方、特定のユーザ操作が受け付けられていない場合には（ステップＳ９０７）、ステップＳ９０９に進む。この場合には、例えば、図６のｂに示すように、枠（領域情報）が表示されない。
【００７１】
続いて、制御部１３０は、画像の表示終了操作が接触操作受付部１１１または操作受付部１２０により受け付けられたか否かを判断する（ステップＳ９０９）。そして、画像の表示終了操作が受け付けられていない場合には（ステップＳ９０９）、ステップＳ９０３に戻る。一方、画像の表示終了操作が受け付けられた場合には（ステップＳ９０９）、表示制御処理の動作を終了する。
【００７２】
なお、ステップＳ９０３乃至Ｓ９０６は、特許請求の範囲に記載の第１表示手順の一例である。また、ステップＳ９０７、Ｓ９０８は、特許請求の範囲に記載の第２表示手順の一例である。
【００７３】
＜２．第２の実施の形態＞
本技術の第１の実施の形態では、画像の表示面における解像度に基づいて表示順序を決定する例を示した。ここで、画像の表示面における解像度と表示面（ディスプレイ）の解像度とに基づいて適応的に前面に表示する画像を選択することにより、さらに効果的な表示をすることができると考えられる。
【００７４】
そこで、本技術の第２の実施の形態では、画像の表示面における解像度と表示面（ディスプレイ）の解像度とに基づいて表示順序を決定する例を示す。なお、本技術の第２の実施の形態における表示制御装置の構成については、図１等に示す例と略同様である。このため、本技術の第１の実施の形態と共通する部分については、同一の符号を付して、これらの説明の一部を省略する。
【００７５】
［表示対象画像および撮像範囲の関係例］
図８は、本技術の第２の実施の形態における記憶部１４０に記憶されている画像とその撮像範囲との関係を簡略的に示す図である。
【００７６】
図８のａでは、山を背景にして立っている人、その前を歩いている犬等を被写体とする撮像範囲２５１および２５２を示す。図８のｂでは、図８のａに示す撮像範囲２５１および２５２に対応する画像２５５および２５６を示す。
【００７７】
なお、図８に示す関係例は、図２に対応するものであるため、ここでの詳細な説明を省略する。
【００７８】
［最前面画像の決定例］
図９は、本技術の第２の実施の形態における表示部１１２の最前面に表示される画像（最前面画像）を決定する場合における決定方法を模式的に示す図である。
【００７９】
例えば、表示部１１２の表示面（ディスプレイ）の解像度よりも、表示対象となる画像の解像度が高い場合（すなわち、ディスプレイの表現能力を超えた解像度を、表示対象となる画像が有する場合）には、ユーザは高精細な画像を見ることができる。これに対して、表示部１１２の表示面（ディスプレイ）の解像度よりも、表示対象となる画像の解像度が低い場合には、信号処理により拡大された画像（いわゆる、精細感を失った画像）が表示部１１２の表示面（ディスプレイ）に表示される。
【００８０】
ここで、表示部１１２の表示面の解像度よりも解像度が高い画像（被写体の高精細な画像）を取得するためには、その被写体を基準にして撮像装置のズーム倍率を上げて撮像動作を行うか、撮像装置をその被写体に近づけて撮像動作を行う必要がある。ただし、これらの撮像動作（撮像装置のズーム倍率を上げて行った撮像動作、または、撮像装置をその被写体に近づけて行った撮像動作）を行った場合には、記録される画像に含まれる被写体領域は小さくなる。このため、これらの撮像動作により生成された画像を利用して画像を表示させると、複数の画像が合成されて表示される可能性が高くなる。この場合には、ユーザが画像間における境界に違和感が生じることが想定される。また、被写体に動体が含まれる場合には、その違和感が特に生じやすいことが想定される。
【００８１】
このように、表示部１１２の表示面の解像度よりも、表示対象となる画像の解像度が高い場合には、ユーザは高精細な画像を見ることができるが、画像間における境界に違和感が生じることが想定される。このため、本技術の第２の実施の形態では、表示部１１２の表示面の解像度よりも、表示対象となる画像の解像度が高い場合には、比較的広範囲に被写体が記録されている画像を最前面画像として表示させるようにする。
【００８２】
ここで、図９に示す縦軸は、画像２６１、２６２の表示時におけるズーム倍率（表示倍率）を示す軸である。また、この縦軸上において、上側に進むに従って表示時におけるズーム倍率が小さくなり、下側に進むに従って表示時におけるズーム倍率が大きくなるものとする。また、この縦軸上において、Ｚ１は、画像２６１の撮像動作時におけるズーム倍率と同一の表示倍率となる位置を示し、Ｚ２は、画像２６２の撮像動作時におけるズーム倍率と同一の表示倍率となる位置を示すものとする。また、この縦軸上において、Ｚ０は、画像２６１の撮像動作時におけるズーム倍率よりも小さい表示倍率となる位置を示す。
【００８３】
また、図９に示す縦軸上におけるＺ０およびＺ１間に配置されている白抜きの丸は、図９のａに示す表示対象領域２６３に対応するズーム倍率（表示倍率）の位置を示す。同様に、この縦軸上におけるＺ１およびＺ２間に配置されている白抜きの丸は、図９のｂに示す表示対象領域２６４に対応するズーム倍率（表示倍率）の位置を示す。
【００８４】
また、図９に示す画像２６１、画像２６２が、例えば、画素数および画角を同一とした状態で同じ位置から同一の撮像装置で撮像動作を行った画像である場合を想定する。この場合には、画像２６１は広角側で撮像動作が行われた場合に生成された画像であり、画像２６２は望遠側で撮像動作が行われた場合に生成された画像である。
【００８５】
このような関係となる場合には、例えば、表示倍率が画像２６１の等倍表示と同一となる位置Ｚ１までは、画像２６１が最前面画像として決定される。また、表示倍率が画像２６１の等倍表示を超える場合には、画像２６２が最前面画像として決定される。すなわち、表示時におけるズーム倍率（等倍表示）＜Ｚ１である場合（例えば、表示対象領域２６３の場合）には、画像２６１が最前面画像として決定される。一方、Ｚ１≦表示時におけるズーム倍率（等倍表示）である場合（例えば、表示対象領域２６４の場合）には、画像２６２が最前面画像として決定される。
【００８６】
このように、表示面における解像度が閾値（例えば、等倍表示に対応する値）以上となる画像２６１、２６２が存在する場合には、表示面における解像度が閾値以上であり、かつ、その解像度が最も低い画像２６１が最前面画像として表示部１１２に表示される。
【００８７】
一方、表示面における解像度が閾値以上となる画像が存在しない場合（例えば、ズーム倍率（等倍表示）＞Ｚ２の場合）には、表示面における解像度が最も高い画像２６２が最前面画像として表示部１１２に表示される。
【００８８】
このように、最前面画像を決定することにより、高精細な（解像度が高い）画質、かつ、継ぎ目の少ない自然な画像を表示することができる。また、表示時におけるズーム倍率を固定し、視点位置を移動する場合も同様に、各画像の解像度を算出することにより、最前面画像を決定して表示することができる。
【００８９】
ここで、ディスプレイの表現能力が、表示面における画像の解像度よりも高い場合における他の表示例を図１０に示す。
【００９０】
図１０は、本技術の第２の実施の形態における表示部１１２に表示される画像の表示例に示す図である。なお、図１０のａ、ｂに示す画像の配置および表示領域の関係については、図９のａと同様である。このため、図１０のａ、ｂでは、図９のａと同一の符号を付して説明する。
【００９１】
図１０のａに示すように、画像２６１、２６２のうち、表示対象領域２６３を表示する場合を想定する。この場合には、画像２６２の表示面における解像度が、画像２６１の表示面における解像度よりも大きいため、画像２６１、２６２の重複領域２７１については、画像２６２を表示させ、その他の領域には、画像２６１を表示させる。
【００９２】
ここで、表示対象領域２６３における画像２６１、２６２の境界については、解像度が異なるため、その境界部分が目立って不自然に見えることがある。そこで、例えば、その境界付近の画像について所定の画像処理（解像度の差異を低減する画像処理）を施すことにより、その境界部分を自然に見せることができる。ここで、所定の画像処理として、例えば、解像度が高い画像を低い画像に合わせて境界線近辺の解像度を徐々に落とす処理を施したり、超解像処理を施したりすることができる。
【００９３】
ここで、超解像処理を施す例を示す。例えば、図１０のｂに示すように、画像２６１と画像２６２との境界付近において、段階的に超解像を異なる度合いで施すことができる。具体的には、画像２６１と画像２６２との境界付近おける領域２７２、２７３のうち、領域２７２については、少なめの超解像を施し、領域２７３については、多めの超解像を施すことができる。このように、例えば、境界から離れるに従って、超解像処理の程度を増加させるようにする。これにより、境界部分を目立たなくすることができ、境界部分を自然に見せることが可能となる。
【００９４】
このように、制御部１３０は、重複領域に表示される複数の画像の境界領域について各画像間の解像度が合うように画像処理を施す制御を行う。そして、表示制御部１５０は、その解像度が合うように画像処理が施された複数の画像を表示させる。
【００９５】
また、表示制御部１５０は、例えば、図９に示すように、対象画像の表示される範囲が、対象画像に対する所定割合よりも低くなったときには、他の画像を表示させる。また、表示制御部１５０は、さらに表示部１１２の表示能力に基づいて、表示部１１２に表示させる画像として、複数の画像のうちの少なくとも１つを選択する。
【００９６】
［表示制御装置の動作例］
図１１は、本技術の第２の実施の形態における表示制御装置１００による表示制御処理の処理手順の一例を示すフローチャートである。なお、図１１は、図７の変形例であるため、図７と共通する部分については、同一の符号を付して、その説明の一部を省略する。
【００９７】
表示制御部１５０は、視点に応じて選択された画像のうち、算出された解像度（表示面における解像度）が閾値以上となる画像が存在するか否かを判断する（ステップＳ９２１）。その解像度が閾値以上となる画像が存在する場合には（ステップＳ９２１）、表示制御部１５０は、算出された解像度（表示面における解像度）が閾値以上であり、かつ、解像度が最も低い画像を最前面画像として表示部１１２に表示させる（ステップＳ９２２）。例えば、図９のａに示すように、最前面画像として画像２６１が表示される。
【００９８】
一方、算出された解像度が閾値以上となる画像が存在しない場合には（ステップＳ９２１）、表示制御部１５０は、算出された解像度（表示面における解像度）が最も高い画像を最前面画像として表示部１１２に表示させる（ステップＳ９２３）。
【００９９】
ここで、画質を最優先にする場合には、等倍表示に対応する値を閾値として用いることができる。ただし、閾値として他の値を用いるようにしてもよく、ユーザ操作により閾値を設定可能とするようにしてもよい。
【０１００】
以上では、最前面画像を自動で決定して表示する例を示した。ただし、ユーザ操作により最前面画像を選択するようにしてもよく、被写体に応じて最前面画像を選択するようにしてもよい。これらの例を図１２乃至図１４に示す。
【０１０１】
［最前面画像の決定例］
図１２は、本技術の第２の実施の形態における表示部１１２の最前面に表示される画像（最前面画像）をユーザ操作により決定する場合を模式的に示す図である。なお、画像２６１および２６２の関係については、図９と同様である。
【０１０２】
図１２のａには、ユーザ操作により画像２６１が最前面画像として選択された場合における表示例を示す。また、図１２のｂには、ユーザ操作により画像２６２が最前面画像として選択された場合における表示例を示す。
【０１０３】
ここで、最前面画像の選択方法について説明する。例えば、複数の画像の重複領域（例えば、図１２のａおよびｂに示す重複領域２６５）を選択（例えば、ダブルクリック）することにより、前面に表示されている画像とその背面に表示されている画像とを入れ替えることができる。これにより、ユーザが見たい画像を容易に切り替えることができる。
【０１０４】
例えば、図１２に示すように、画像２６１および画像２６２における重複領域２６５について選択操作を行うことにより、前面に表示する画像を切り替えることができる。例えば、図１２のａに示す表示状態で、重複領域２６５の選択操作が行われた場合には、図１２のｂに示す表示状態となる。また、図１２のｂに示す表示状態で、重複領域２６５の選択操作が行われた場合には、図１２のａに示す表示状態となる。このように、例えば、表示対象となる画像が２つの場合には、２回の選択操作を行うことにより元の状態に戻るように設定することができる。
【０１０５】
なお、表示対象となる画像が３つの場合には、３回の選択操作を行うことにより元の状態に戻るように設定することができる。また、表示対象となる画像が４以上の場合には、表示対象となる画像の数だけ選択操作を行うことにより元の状態に戻るように設定することができる。この場合には、選択操作が行われる毎に、最前面画像が表示順序に従って順次変更される。
【０１０６】
［画像の表示遷移例］
図１３は、本技術の第２の実施の形態における表示部１１２に表示される画像の表示遷移例を示す図である。なお、図１３のａ、ｂに示す画像の配置および表示領域の関係については、図３のｂと同様である。
【０１０７】
図１３では、３つの画像５０１乃至５０３を表示する例を示す。この場合に、撮像装置により生成された画像が配置されない領域には、所定の画像（例えば、黒やグレーの画像）が表示される。
【０１０８】
図１３のａに示すように、ユーザ操作が行われていない状態では、各画像の枠が付されていない状態の３つの画像５０１乃至５０３が表示される。一方、図１３のｂに示すように、ユーザ操作が行われている状態では、各画像の枠が付された状態の３つの画像５０１乃至５０３が表示される。
【０１０９】
また、図１３のａまたはｂに示す状態で、ユーザ操作により１つの画像が選択された場合には、その選択された画像のみが表示される。例えば、ユーザ操作により画像５０１が選択された場合には、画像５０１のみが表示される。例えば、ユーザ操作が行われていない状態では、図６のｂに示す画像が表示され、ユーザ操作が行われている状態では、図６のａに示す画像が表示される。
【０１１０】
［最前面画像の決定例］
図１４は、本技術の第２の実施の形態における表示部１１２の最前面に表示される画像（最前面画像）を被写体に応じて決定する場合を模式的に示す図である。
【０１１１】
図１４のａには、山を背景にして立っている人物２０１、その前を歩いている犬２０２、その周辺の家２０３等を被写体とする撮像範囲５１１、５１２を示す。図１４のｂには、図１４のａに示す撮像範囲５１１、５１２に対応する画像５１５、５１６が表示部１１２に表示される際における各画像の配置例を示す。
【０１１２】
また、図１４では、画像の境界が特定の物体にかかる場合には、特定の物体の全体が表示されるように画像を選択する例を示す。例えば、図１４のｂに示すように、画像５１６の境界が人物２０１にかかっている。この場合に、例えば、画像５１６のみを表示すると、人物２０１の顔の上部分が切れて見えない状態となる。そこで、例えば、表示面における解像度に基づいて最前面画像として決定された画像が画像５１６である場合でも、画像５１６ではなく画像５１５を表示するようにする。
【０１１３】
ここで、特定の物体は、例えば、人物の顔、人体、動物（犬、猫）、乗り物（車、電車）である。また、特定の物体の検出については、各種の物体検出方法を用いることができる。例えば、顔の輝度分布情報が記録されているテンプレートと実画像とのマッチングによる顔検出方法（例えば、特開２００４−１３３６３７参照。）、画像データに含まれる肌色の部分や人間の顔の特徴量等に基づいた顔検出方法等を用いることができる。また、人体等の検出方法として、例えば、画像における複数の領域の輝度の勾配方向に対する輝度の勾配強度の度数分布の比較結果に基づいて特定の物体を検出する検出方法を用いることができる（例えば、特開２０１０−６７１０２号参照。）。また、例えば、画像における矩形特徴を用いた弱判別器によりその画像に含まれる特定の物体を検出する検出方法を用いることができる（例えば、特開２００９−２１２９８０号参照。）。また、例えば、画像における２点間の輝度の差分値を用いた弱判別器によりその画像に含まれる物体の属性を検出して特定物体をする検出方法を用いることができる。
【０１１４】
＜３．第３の実施の形態＞
本技術の第１および第２の実施の形態では、領域情報として太線の枠を表示する例を示した。しかしながら、他の表示態様で領域情報を表示するようにしてもよい。
【０１１５】
そこで、本技術の第３の実施の形態では、各種の表示態様で領域情報を表示する例を示す。なお、本技術の第３の実施の形態における表示制御装置の構成については、図１等に示す例と略同様である。このため、本技術の第１の実施の形態と共通する部分については、同一の符号を付して、これらの説明の一部を省略する。
【０１１６】
［画角のサイズに応じて枠を変える例］
図１５乃至図２０は、本技術の第３の実施の形態における表示部１１２に画像（最前面画像）とともに表示される領域情報（例えば、画像の重複領域を示す枠）の表示例を示す図である。
【０１１７】
画像３０１乃至３０３は、同一の画素数（例えば、８００画素×６００画素）であるが、撮像動作時における画角（すなわち、ズーム倍率）がそれぞれ異なる画像である。また、画像３０１乃至３０３は、図３のｂに示す関係と同様に配置されているものとする。また、画像３０２が最前面画像として決定されているものとする。また、表示対象領域３０５を点線の矩形により表す。なお、画像３０１乃至３０３のそれぞれに含まれる被写体については、図示を省略する。また、図１６および図１７に示す例も同様であるものとする。
【０１１８】
［画角のサイズに応じて枠の太さを変える例］
図１５には、画角のサイズに応じて枠の太さを変える例を示す。
【０１１９】
例えば、画角のサイズが大きくなるのに応じて枠を太くする。一方、画角のサイズが小さくなるのに応じて枠を細くする。
【０１２０】
例えば、画像３０１の画角のサイズは比較的大きいため、画像３０１の重複領域を示す枠３１１については、比較的太く表示される。一方、画像３０３の画角のサイズは比較的小さいため、画像３０３の重複領域を示す枠３１２については、比較的細く表示される。
【０１２１】
なお、これらの関係とは逆となるように枠の太さを設定するようにしてもよい。すなわち、画角のサイズが大きくなるのに応じて枠を細くし、画角のサイズが小さくなるのに応じて枠を太くするようにしてもよい。
【０１２２】
［画角のサイズに応じて枠の色を変える例］
図１６には、画角のサイズに応じて枠の色を変える例を示す。
【０１２３】
例えば、図１６のｂに示すように、画角のサイズが大きくなるのに応じて、紫、青、緑、黄、橙、赤に順次変更する。なお、図１６のｂでは、画角のサイズと、色との関係例を縦軸に並べて示す。また、図１６のｂでは、白黒の濃淡により色が付された線状画像（枠）を表すものとする。
【０１２４】
例えば、図１６のａに示すように、画像３０１の画角のサイズは比較的大きいため、画像３０１の重複領域を示す枠３２１は赤で表示される。一方、画像３０３の画角のサイズは比較的小さいため、画像３０３の重複領域を示す枠３２２は緑で表示される。
【０１２５】
なお、これらの関係とは逆となるように枠の色を設定するようにしてもよい。また、さらに細かく色を設定するようにしてもよい。
【０１２６】
［画角のサイズに応じて枠の種類を変える例］
図１７には、画角のサイズに応じて枠の種類を変える例を示す。
【０１２７】
例えば、図１７のｂに示すように、画角のサイズが大きくなるのに応じて、点線の間隔が広くなるように設定する。
【０１２８】
例えば、図１７のａに示すように、画像３０１の画角のサイズは比較的大きいため、画像３０１の重複領域を示す枠３３１については、比較的広い間隔の点線で表示される。一方、画像３０３の画角のサイズは比較的小さいため、画像３０３の重複領域を示す枠３３２については、比較的狭い間隔の点線で表示される。
【０１２９】
なお、これらの関係とは逆となるように枠の種類を設定するようにしてもよい。また、その種類をさらに細かく設定するようにしてもよい。
【０１３０】
［画角のサイズに応じて枠の消えるタイミングを変える例（枠を徐々に薄くする例）］
図１８には、画角のサイズに応じて枠の消えるタイミングを変える例を示す。ここで、図１８に示す縦軸は、画角のサイズを示す軸であり、図１８に示す横軸は、時間軸である。
【０１３１】
図１８に示す時間軸において、時間ｔ１は、ユーザ操作が終了した時点を示す。また、時間ｔ２は、画角のサイズが比較的小さい画像の重複領域を示す枠を最後に表示する時点を示す。すなわち、時間ｔ２の経過後に、画角のサイズが比較的小さい画像の重複領域を示す枠が消去される。同様に、時間ｔ３は、画角のサイズが中程度の画像の重複領域を示す枠を最後に表示する時点を示す。また、時間ｔ４は、画角のサイズが比較的大きい画像の重複領域を示す枠を最後に表示する時点を示す。
【０１３２】
図１８に示すように、ユーザ操作が終了した時点（時間ｔ１）から、枠が順次薄くなるように表示態様を変更する。これにより、見えていた枠が徐々に消えていくような印象を与えることができる。これにより、見えていた枠が突然見えなくなることによる不自然さ等をユーザが生じることもなく、自然な状態で枠の遷移を見ることができる。
【０１３３】
［画角のサイズに応じて枠の消えるタイミングを変える例（枠の種類を徐々に変更する例）］
図１９には、画角のサイズに応じて枠の消えるタイミングを変える例を示す。なお、図１９に示す縦軸および横軸は、図１８と同様である。また、図１９に示す時間軸における時間ｔ１乃至ｔ４についても、図１８と同様である。
【０１３４】
図１９に示すように、ユーザ操作が終了した時点（時間ｔ１）から、枠の種類が順次切り替わるように表示態様を変更する。これにより、見えていた枠が消えるまでの遷移をユーザが確認することができる。
【０１３５】
［画角のサイズに応じて枠の消えるタイミングを変える例（枠の太さを徐々に変更する例）］
図２０には、画角のサイズに応じて枠の消えるタイミングを変える例を示す。なお、図２０に示す縦軸および横軸は、図１８と同様である。また、図２０に示す時間軸における時間ｔ１乃至ｔ４についても、図１８と同様である。
【０１３６】
図２０に示すように、ユーザ操作が終了した時点（時間ｔ１）から、枠の太さが順次切り替わるように表示態様を変更する。これにより、見えていた枠が消えるまでの遷移をユーザが確認することができる。
【０１３７】
［他の表示例］
以上では、領域情報として枠を表示する例を示した。以下では、他の表示態様により領域情報を表示する例を示す。
【０１３８】
図２１乃至図２３は、本技術の第３の実施の形態における表示部１１２に画像（最前面画像）とともに表示される領域情報の表示例を示す図である。なお、画像３０１乃至３０３、表示対象領域３０５については、図１５乃至図１７と同様であるものとする。
【０１３９】
［ハイライトにより領域情報を表示する例］
図２１には、ハイライトにより領域情報を表示する例を示す。例えば、領域３４１、３４２をハイライト表示する。なお、図１５乃至図１７に示す例と同様に、画角のサイズに応じてハイライト表示を変更するようにしてもよい。例えば、画角のサイズに応じて明るさを変更するようにしてもよい。
【０１４０】
［異なる色のハイライトにより領域情報を表示する例］
図２２には、異なる色のハイライトにより領域情報を表示する例を示す。例えば、領域３５１、３５２を異なる色でハイライト表示する。この場合に、図２２に示すように、領域情報の輪郭に枠を付すようにしてもよい。なお、図１５乃至図１７に示す例と同様に、画角のサイズに応じてハイライト表示を変更するようにしてもよい。例えば、画角のサイズに応じて異なる色を付すようにしてもよい。
【０１４１】
［網掛け表示により領域情報を表示する例］
図２３には、網掛け表示により領域情報を表示する例を示す。例えば、領域３６１、３６２を網掛け表示する。この場合に、図２３に示すように、領域情報の輪郭に枠を付すようにしてもよい。なお、図１５乃至図１７に示す例と同様に、画角のサイズに応じて網掛け表示を変更するようにしてもよい。例えば、画角のサイズに応じて網掛けの間隔を変更するようにしてもよい。
【０１４２】
なお、図１５乃至図２３に示す表示態様以外の他の表示態様で領域情報を表示するようにしてもよい。例えば、表示対象となっている画像上において、他の画像の重複領域を特定色（例えば、薄いグレー）とすることにより、領域情報を表示するようにしてもよい。
【０１４３】
このように、制御部１３０は、複数の画像に関する画像情報に応じて、他の画像に係る領域情報の表示態様を変更して表示させることができる。ここで、複数の画像に関する画像情報は、例えば、他の画像の表示サイズ（例えば、画角）や、撮像時における撮像条件（例えば、ズーム倍率）である。また、制御部１３０は、他の画像の重複領域に対応する輪郭を示す線状画像を領域情報として表示させ、領域情報の表示態様として、線状画像の太さ、色、種類のうちの少なくとも１つを変更させることができる。また、制御部１３０は、領域情報の表示態様として、ユーザ操作の終了時から、領域情報を消去するまでのタイミングを変更させることができる。
【０１４４】
このように、本技術の実施の形態では、撮像動作時の撮像装置の状態（位置、姿勢、ズーム倍率）が関連付けられ、かつ、一部または全ての画像が共通の被写体を含む複数の画像を１つのシーンとして同時に表示することができる。この場合に、ユーザが操作（スクロール、ズーム）を行っている間、他の画像の重複領域を示す領域情報（例えば、枠）を表示するため、画質を損なうことなく、表示されている画像以外の他の画像の有無や、ズーム倍率を直観的に表現することができる。これにより、他の画像の有無や、ズーム倍率をユーザが直観的に把握することができる。例えば、表示されている画像を基準にして、その上下左右の撮像範囲に画像が存在するのか否か、ズームして撮影された高精細な画像がある否か等をユーザが容易に把握することができる。すなわち、関連する複数の画像を表示する場合に、各画像に関する情報をユーザが容易に把握することができる。
【０１４５】
また、ユーザが操作（スクロール、ズーム）を行っている間、他の画像の重複領域を示す領域情報（例えば、枠）を表示することにより、重要な被写体（特に、動体）の位置が変更されたり、その被写体が消えたりすることを防止することができる。例えば、前面に表示されている画像と、その背面の画像との重複領域に動体が含まれるような場合には、その動体の移動により、その重複領域に含まれる動体の位置が互いに異なることも想定される。この場合に、その背面の画像を前面に表示させると、その重複領域における動体の位置が変更されたり、動体が消えたりするおそれがある。この場合でも、前面に表示されている画像における重複領域に枠を表示することにより、動体の位置が変更されたり、動体が消えたりすることを防止することができる。また、前面に表示されている画像における重複領域に枠を表示するのみであるため、画像間における境界領域で違和感が発生することを防止することができる。
【０１４６】
また、複数の画像が重複する領域について、ディスプレイの解像度、表示状態（位置、ズーム倍率）、ユーザ操作に応じて適応的に前面に表示する画像を切り替えることにより、高精細な画像を自然に表示させることができる。
【０１４７】
なお、本技術の実施の形態では、静電式（静電容量方式）のタッチパネルを用いる例を示したが、感圧式（抵抗膜圧式）や光式等のタッチパネルを用いるようにしてもよい。また、タッチパネルを備えていない表示制御装置に本技術の実施の形態を適用するようにしてもよい。
【０１４８】
また、互いに関連する複数の画像を表示することが可能な他の表示制御装置（電子機器）に本技術の実施の形態を適用することができる。例えば、デジタルスチルカメラ、デジタルビデオカメラ（例えば、カメラ一体型レコーダ）、デジタルフォトフレーム、スマートフォン、タブレット、携帯電話、パーソナルコンピュータ等の機器に適用することができる。
【０１４９】
なお、上述の実施の形態は本技術を具現化するための一例を示したものであり、実施の形態における事項と、特許請求の範囲における発明特定事項とはそれぞれ対応関係を有する。同様に、特許請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【０１５０】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disk）、メモリカード、ブルーレイディスク（Blu-ray Disc（登録商標））等を用いることができる。
【０１５１】
なお、本技術は以下のような構成もとることができる。
（１）
１つの画像の撮像範囲が他の画像の撮像範囲の少なくとも一部と重複する複数の画像のうちの少なくとも１つをユーザ操作に基づいて表示部に表示させる表示制御部と、
前記ユーザ操作が行われている状態では、表示対象となっている対象画像とともに前記対象画像以外の他の画像と前記対象画像とが重複する重複領域を示す領域情報を表示させる制御を行う制御部と
を具備する表示制御装置。
（２）
前記制御部は、１または複数の前記他の画像を前記重複領域に表示させる制御を行う前記（１）に記載の表示制御装置。
（３）
前記制御部は、前記重複領域に表示される複数の画像の境界領域について各画像間の解像度が合うように画像処理を施す制御を行い、
前記表示制御部は、前記解像度が合うように画像処理が施された複数の画像を表示させる
前記（２）に記載の表示制御装置。
（４）
前記制御部は、前記対象画像に前記領域情報を重ねて表示させる制御を行う前記（１）から（３）のいずれかに記載の表示制御装置。
（５）
前記制御部は、前記複数の画像に関する画像情報に応じて前記他の画像に係る前記領域情報の表示態様を変更して表示させる制御を行う前記（１）から（４）のいずれかに記載の表示制御装置。
（６）
前記制御部は、前記他の画像の表示領域に対応する輪郭を示す線状画像を前記領域情報として表示させ、前記領域情報の表示態様として前記線状画像の太さ、色、種類のうちの少なくとも１つを変更させる制御を行う前記（５）に記載の表示制御装置。
（７）
前記制御部は、前記領域情報の表示態様として、前記ユーザ操作の終了時から前記領域情報を消去するまでのタイミングを変更させる制御を行う前記（５）に記載の表示制御装置。
（８）
前記表示制御部は、表示時における前記複数の画像のそれぞれの解像度に基づいて、前記表示部に表示させる画像として、前記複数の画像のうちの少なくとも１つを選択する前記（１）から（７）のいずれかに記載の表示制御装置。
（９）
前記表示制御部は、前記対象画像の表示される範囲が、前記対象画像に対する所定割合よりも低くなったときには、前記他の画像を表示させる前記（８）に記載の表示制御装置。
（１０）
前記表示制御部は、さらに前記表示部の表示能力に基づいて、前記表示部に表示させる画像として、前記複数の画像のうちの少なくとも１つを選択する前記（８）に記載の表示制御装置。
（１１）
１つの画像の撮像範囲が他の画像の撮像範囲の少なくとも一部と重複する複数の画像のうちの少なくとも１つをユーザ操作に基づいて表示部に表示させる第１表示手順と、
前記ユーザ操作が行われている状態では、表示対象となっている対象画像とともに前記対象画像以外の他の画像と前記対象画像とが重複する重複領域を示す領域情報を表示させる第２表示手順と
を具備する表示制御方法。
（１２）
１つの画像の撮像範囲が他の画像の撮像範囲の少なくとも一部と重複する複数の画像のうちの少なくとも１つをユーザ操作に基づいて表示部に表示させる第１表示手順と、
前記ユーザ操作が行われている状態では、表示対象となっている対象画像とともに前記対象画像以外の他の画像と前記対象画像とが重複する重複領域を示す領域情報を表示させる第２表示手順と
をコンピュータに実行させるプログラム。
【符号の説明】
【０１５２】
１００  表示制御装置
１１０  入出力部
１１１  接触操作受付部
１１２  表示部
１２０  操作受付部
１３０  制御部
１４０  記憶部
１５０  表示制御部
【図１】
0005966584.tif 000002
【図２】
0005966584.tif 000003
【図３】
0005966584.tif 000004
【図４】
0005966584.tif 000005
【図５】
0005966584.tif 000006
【図６】
0005966584.tif 000007
【図７】
0005966584.tif 000008
【図８】
0005966584.tif 000009
【図９】
0005966584.tif 000010
【図１０】
0005966584.tif 000011
【図１１】
0005966584.tif 000012
【図１２】
0005966584.tif 000013
【図１３】
0005966584.tif 000014
【図１４】
0005966584.tif 000015
【図１５】
0005966584.tif 000016
【図１６】
0005966584.tif 000017
【図１７】
0005966584.tif 000018
【図１８】
0005966584.tif 000019
【図１９】
0005966584.tif 000020
【図２０】
0005966584.tif 000021
【図２１】
0005966584.tif 000022
【図２２】
0005966584.tif 000023
【図２３】
0005966584.tif 000024